(57)【要約】【課題】ユーザに手間をかけさせず、かつ、簡単な処理で手ぶれ画像を管理する機能を有する撮像装置を提供する。【解決手段】シャッタ釦１１１によって撮影が指示されたとき、撮像装置の振動がジャイロセンサ１０７によって検出され、このジャイロセンサ１０７の出力に基づいて、撮影時の振動量が振動量演算部１０８によって演算される。そして振動量判断部１０９にて、前記振動量演算部１０８の出力が閾値と比較されることにより、振動レベルが判断される。前記振動量判断部１０９の判断結果に応じて、撮影情報記録部１０３がメモリーカード１０５に対し、画像ファイル番号および撮影日時を記録した撮影情報ファイルを作成し、また、前記閾値が、閾値変更釦１１２によって変更される。表示制御部１１０は、メモリーカード１０５から検索条件指示釦１１３の指示と合致する画像を検索し、ＬＣＤ１１４に表示する。【選択図】図１
2007166140.tif 000002
【特許請求の範囲】
【請求項１】
被写体を撮像して画像データを生成する撮像手段と、
前記生成した画像データ又は前記生成した画像データに所定の処理を施した画像データを記憶する記憶手段を装着可能な装着手段と、
自装置の振動を検出する振動検出手段と、
前記記憶された画像データのそれぞれについて、前記撮像手段で生成されたときに前記振動検出手段で検出された振動量又はその振動量に基づく区分との関係を判別できるように管理する制御手段と、
を備える撮像装置。
【請求項２】
被写体を撮像して画像データを生成する撮像手段と、
前記生成した画像データ又は前記生成した画像データに所定の処理を施した画像データを記憶する記憶手段と、
自装置の振動を検出する振動検出手段と、
前記記憶された画像データのそれぞれについて、前記撮像手段で生成されたときに前記振動検出手段で検出された振動量又はその振動量に基づく区分との関係を判別できるように管理する制御手段と、
を備える撮像装置。
【請求項３】
被写体を撮像して画像データを生成する撮像手段と、
前記生成した画像データ又は前記生成した画像データに所定の処理を施した画像データを記憶する記憶手段を装着可能な装着手段と、
自装置の振動を検出する振動検出手段と、
前記記憶された画像データのそれぞれについて、前記撮像手段で生成されたときに前記振動検出手段で検出された振動量又はその振動量に基づく区分との関係を判別するための所定の情報を作成する制御手段と、
を備える撮像装置。
【請求項４】
被写体を撮像して画像データを生成する撮像手段と、
前記生成した画像データ又は前記生成した画像データに所定の処理を施した画像データを記憶する記憶手段と、
自装置の振動を検出する振動検出手段と、
前記記憶された画像データのそれぞれについて、前記撮像手段で生成されたときに前記振動検出手段で検出された振動量又はその振動量に基づく区分との関係を判別するための所定の情報を作成する制御手段と、
を備える撮像装置。
【請求項５】
前記制御手段は、前記記憶手段に記憶された画像データに関連する情報を記載した管理ファイルを作成する、
請求項３又は４に記載の撮像装置。
【請求項６】
前記制御手段は、前記振動量と所定の閾値との関係に基づいて、前記振動量に基づく区分を特定する、
請求項１〜５のいずれかに記載の撮像装置。
【請求項７】
前記記憶手段に記憶された画像データを再生する再生手段をさらに備え、
前記制御手段は、前記振動量又は前記振動量に基づく区分に応じて、前記記憶手段に記憶された画像データのそれぞれについて、前記再生手段で再生するか否かを制御する、
請求項１〜６のいずれかに記載の撮像装置。
【請求項８】
前記制御手段は、前記記憶手段に記憶された画像データのうち、前記振動量の小さい画像データについて再生を許可するよう制御する一方、前記振動量の大きい画像データについて再生を禁止するよう制御する、
請求項７に記載の撮像装置。
【請求項９】
前記制御手段は、前記記憶手段に記憶された画像データのうち、前記振動量の大きい画像データについて再生を許可するよう制御する一方、前記振動量の小さい画像データについて再生を禁止するよう制御する、
請求項７に記載の撮像装置。
【請求項１０】
前記制御手段は、前記振動量又は前記振動量に基づく区分に応じて、前記記憶手段に記憶された画像データのそれぞれについて、前記記憶手段から削除するか否かを制御する、
請求項１〜９のいずれかに記載の撮像装置。
【請求項１１】
前記制御手段は、前記記憶手段に記憶された画像データのうち、前記振動量の大きい画像データを削除するよう制御する一方、前記振動量の小さい画像データを削除しないよう制御する、
請求項１０に記載の撮像装置。
【請求項１２】
前記制御手段は、前記記憶手段の空き容量を監視し、前記空き容量が少なくなったときに、前記振動量の大きい画像データを削除するよう制御する、
請求項１１に記載の撮像装置。
【請求項１３】
前記記憶手段に記憶された画像データを他の装置に転送する転送手段をさらに備え、
前記制御手段は、前記振動量又は前記振動量に基づく区分に応じて、前記記憶手段に記憶された画像データのそれぞれについて、他の装置に転送するか否かを制御する、
請求項１〜１２のいずれかに記載の撮像装置。
【請求項１４】
前記制御手段は、前記記憶手段に記憶された画像データのうち、前記振動量の小さい画像データを他の装置に転送するよう制御する一方、前記振動量の大きい画像データを他の装置に転送しないよう制御する、
請求項１３に記載の撮像装置。
【請求項１５】
請求項５〜１４のいずれかに記載の撮像装置に有線又は無線で接続する接続手段と、
前記管理ファイルを参照して、前記振動量又は前記振動量に基づく区分に応じて、前記記憶手段に記憶された画像データのそれぞれについて、処理するか否かを解析する解析手段と、
を備える周辺装置。
【請求項１６】
請求項５〜１４のいずれかに記載の撮像装置の前記記憶手段を読み込む読込手段と、
前記管理ファイルを参照して、前記振動量又は前記振動量に基づく区分に応じて、前記記憶手段に記憶された画像データのそれぞれについて、処理するか否かを解析する解析手段と、
を備える周辺装置。
【発明の詳細な説明】
【技術分野】
【０００１】
本発明は、自装置の振動を検出できる撮像装置および周辺装置に関する。
【背景技術】
【０００２】
撮像装置の画像管理の実現例として、特許文献１がある。ＤＣＦ（Ｄｅｓｉｇｎ  ｒｕｌｅ  ｆｏｒ  Ｃａｍｅｒａ  Ｆｉｌｅ  ｓｙｓｔｅｍ）規格のように、画像データを格納するディレクトリが決められている場合でも、ユーザが指定したディレクトリに画像データを格納することができる。ユーザは、撮影した画像データを再生して手ぶれの程度を確認し、手ぶれの大きい画像データを削除候補となるディレクトリに保存する。記憶手段の残り容量が少なくなった場合、前記削除候補となるディレクトリを削除することで、記憶手段の空き容量を増やすことができる。
【０００３】
画像管理のもうひとつの実現例として、特許文献２がある。画像データをグレースケールに変換後、高速フーリエ変換を行う。得られたパワースペクトルの特定周波数領域のエネルギーが閾値以下であれば、手ぶれが大きいと判断する。前記手ぶれが大きい画像データを削除候補として、ユーザに提示する。
【特許文献１】特開２００５−１７５９５７号公報
【特許文献２】特開２００５−１４１５８４号公報
【発明の開示】
【発明が解決しようとする課題】
【０００４】
しかしながら、特許文献１に記載の技術では、それぞれの画像データについて、手ぶれの程度をユーザが判断する手間がかかる。また、特許文献２に記載の技術では、手ぶれの大きさを判断するために複雑な処理が必要となり、小型撮像装置に使用される中央処理装置で処理すると相当な時間を要する。
【０００５】
本発明は、ユーザに手間をかけさせず、かつ、簡単な処理で手ぶれ画像を管理する機能を有する撮像装置および周辺装置を提供することを目的とする。
【課題を解決するための手段】
【０００６】
前記課題を解決するために、本発明の撮像装置は、被写体を撮像して画像データを生成する撮像手段と、前記生成した画像データ又は前記生成した画像データに所定の処理を施した画像データを記憶する記憶手段を装着する装着手段と、自装置の振動を検出する振動検出手段と、前記記憶された画像データのそれぞれについて、前記撮像装置で生成されたときに前記振動検出手段で検出された振動量又はその振動量に基づく区分との関係を判別できるように管理する制御手段とを備える。
【発明の効果】
【０００７】
以上のように、本発明によれば、画像データが撮像装置で生成されたときに振動検出手段で検出された振動量又はその振動量に基づく区分との関係を判別できるように管理する制御手段によって、ユーザに手間をかけさせず、かつ、簡単な処理で手ぶれ画像を管理する機能を有する撮像装置を提供することができる。
【発明を実施するための最良の形態】
【０００８】
１．  構成
１．１  装置
本発明の実施の形態にかかる撮像装置のブロック図を図１に示す。レンズ１００を通してＣＣＤイメージセンサ１０１で撮影された画像が、画像データ処理部１０２で所定の処理を施された後に、撮影情報記録部１０３によって、メモリーカード用コネクタ１０４に装着されたメモリーカード１０５に記録される。
【０００９】
撮影は、シャッタ釦１１０の押下で開始され、適当な露光時間の経過後に終了する。この間に、自装置の振動を検出するジャイロセンサ１０７の出力角速度を振動量演算部１０８で演算し、振動の大きさと向きを求める。
【００１０】
次に、リニアアクチュエータ１０６で、前記得られた振動の大きさと向きに対して、瞬時に、逆向きに同じ大きさだけ、レンズ１００を駆動することによって、手ぶれを補正する。
【００１１】
また、振動量演算部１０８で演算した振動の大きさが、所定の閾値を超えているかどうかを振動量判断部１０９で判断する。閾値を超えている場合は、撮影情報記録部１０３が、当該画像の画像ファイル番号と撮影日時を記載した撮影情報ファイルをメモリーカード１０５内に作成する。前記閾値は、閾値変更釦１１２で変更することができる。
【００１２】
検索条件指示釦１１３で手ぶれの大きい画像の再生を指示すると、撮影情報記録部１０３が前記撮影情報ファイルを参照して、手ぶれの大きい画像を、表示制御部１１０を介してＬＣＤ１１４に表示する。
【００１３】
転送制御部１１５は、接続ケーブル１１６に装着された接続ケーブル１１７を介して接続された他の装置に画像データを転送する。
【００１４】
ここで、レンズ１００とＣＣＤイメージセンサ１０１は、本発明の撮像手段の一例である。メモリーカード１０５は、本発明の記憶手段の一例である。メモリーカード用コネクタ１０４は、本発明の装着手段の一例である。ジャイロセンサ１０７と振動量演算部１０８は、本発明の振動検出手段の一例である。撮影情報記録部１０３と振動量判断部１０９は、本発明の制御手段の一例である。表示制御部１１０とＬＣＤ１１４は、本発明の再生手段の一例である。転送制御部１１５と接続ケーブル用コネクタ１１６は、本発明の転送手段の一例である。
【００１５】
また、画像ファイル番号と撮影日時は、本発明の所定の情報の一例である。撮影情報ファイルは、本発明の管理ファイルの一例である。
１．２  ディレクトリ構成
本発明の記憶手段を構成するメモリーカード１０５などの記憶装置内に作成されるディレクトリ構成の一例を図２に示す。ルート２００は、ディレクトリ構成の最上位ディレクトリであり、すべてのディレクトリやファイルの作成は、この階層から行われる。
【００１６】
ＤＣＩＭ２０１は、ＤＣＦ規格によって規定されているディレクトリである。１００＿ＰＡＮＡ２０２は、画像ファイルを格納するためのディレクトリであり、ＤＣＩＭ２０１の下の階層に作成される。ＤＣＦ規格により、ディレクトリ名は、１００〜９９９までの３桁の数字と５文字の自由文字で構成するよう規定されている。本ディレクトリ構成例では、３桁の数字として１００を、５文字の自由文字として＿ＰＡＮＡを使用した例を示している。
【００１７】
Ｐ１０００００１．ｊｐｇ〜Ｐ１０００００４．ｊｐｇ２０３は、１００＿ＰＡＮＡ２０２に格納された画像ファイルである。ＤＣＦ規格により、ファイル名は、４文字の自由文字と０００１〜９９９９までの４桁の数字から構成するよう規定されている。本ディレクトリ構成例では、４文字の自由文字としてＰ１００を、４桁の数字として０００１〜０００４を使用した例を示している。
【００１８】
Ｒｅｃｉｎｆｏ．ｔｘｔ２０４は、撮影時の手ぶれが大きい画像の画像ファイル番号と撮影日時が記録された撮影情報ファイルである。本ディレクトリ構成例では、ルート２００に作成している。
２  動作
２．１  撮影処理
以上のような構成を持った撮像装置において、撮影するときの動作を、以下、図３と図４を用いて説明する。
【００１９】
まず、撮影処理の全体を示すフローチャートを図３に示す。撮影者は、シャッタ釦１１１を押して撮影を開始する。その後、露光時間中の振動量の演算を行い、振動量が閾値より大きいかどうかを判断（Ｓ３００）する。閾値よりも小さい場合は、手ぶれが小さいため、撮影情報ファイルの作成（Ｓ３０１）を行わずに画像ファイルを作成（Ｓ３０２）して処理を終了する。閾値よりも大きい場合は、手ぶれが大きいため、画像ファイル番号と撮影日時を記録した撮影情報ファイルを作成（Ｓ３０１）する。その後、画像ファイルを作成（Ｓ３０２）して処理を終了する。
【００２０】
次に、撮影情報ファイルの作成（Ｓ３０１）を示すフローチャートを図４に示す。まず、メモリーカード１０５内に撮影情報ファイルが存在するかどうかを判別（Ｓ４００）する。存在しない場合は、メモリーカード１０５内に撮影情報ファイルを作成（Ｓ４０１）し、撮影した画像の画像ファイル番号と撮影日時を記録（Ｓ４０４）して処理を終了する。
【００２１】
メモリーカード１０５内に撮影情報ファイルが存在する場合は、撮影した画像の画像ファイル番号と同じ画像ファイル番号が記録されているかどうかを判別（Ｓ４０２）する。同じ画像ファイル番号が記録されていない場合は、撮影した画像の画像ファイル番号と撮影日時を記録（Ｓ４０４）して処理を終了する。
【００２２】
撮影した画像と同じ画像ファイル番号が記録されている場合は、パソコンなどでメモリーカード１０５上から当該画像ファイルが削除されたかリネームされたが、撮影情報ファイルには当該画像ファイル番号が残っている場合などが考えられるので、撮影情報ファイルと画像ファイルの整合性を保つために、撮影情報ファイルから当該画像ファイル番号と撮影日時を削除（Ｓ４０３）した後に、撮影した画像の画像ファイル番号と撮影日時を記録（Ｓ４０４）して処理を終了する。
２．２  削除処理（手動）
手ぶれの大きい画像を順次再生してから削除するときの動作を、以下、図５と図６を用いて説明する。
【００２３】
手ぶれの大きい画像の再生処理を示すフローチャートを図５に示す。まず、メモリーカード１０５内に撮影情報ファイルが存在するかどうかを判別（Ｓ５００）する。撮影情報ファイルが存在しない場合は、「手ぶれの大きい画像はありません。」などのメッセージを表示（Ｓ５０１）して処理を終了する。
【００２４】
撮影情報ファイルが存在する場合は、最初の画像ファイル番号と撮影日時を取得（Ｓ５０２）して、取得した画像ファイル番号と撮影日時がともに一致する画像ファイルをＬＣＤ１１４上に再生（Ｓ５０３）する。
【００２５】
前記画像ファイルをＬＣＤ１１４上に再生した状態で、当該画像に対するユーザの削除要求があるかどうかを判別（Ｓ５０４）する。削除要求がある場合は、削除処理（Ｓ５０５）を行う。削除要求がない場合は、削除処理（Ｓ５０５）をスキップする。
【００２６】
次に、当該画像ファイル番号が撮影情報ファイルに記録された最後の画像ファイル番号かどうかを判別（Ｓ５０６）する。最後の画像ファイル番号の場合は、処理を終了する。最後の画像ファイル番号でない場合は、次の画像ファイル番号と撮影日時を取得（Ｓ５０２）する処理に戻って、同様の処理（Ｓ５０２〜Ｓ５０６）を繰り返す。
【００２７】
次に、手ぶれの大きい画像の削除処理（Ｓ５０５）を示すフローチャートを図６に示す。ＬＣＤ１１４に表示されている画像に対して削除要求があるので、当該画像ファイルをメモリーカード１０５上から削除（Ｓ６００）する。次に、撮影情報ファイルから、当該画像ファイルの画像ファイル番号と撮影日時を削除（Ｓ６０１）して処理を終了する。
２．３  削除処理（自動）
メモリーカード１０５の空き容量が少なくなって新たな画像ファイルが保存できなくなった場合に、手ぶれの大きい画像ファイルを自動的に削除して空き容量を増やすときの動作を、図７を用いて説明する。
【００２８】
手ぶれの大きい画像を自動的に削除する処理を示すフローチャートを図７に示す。メモリーカード１０５上に新たに撮影した画像の画像ファイルを保存できるだけの空き容量があるかどうかを判別（Ｓ７００）する。空き容量がない場合は、撮影情報ファイルを参照して手ぶれの大きい画像の削除処理（Ｓ７０１）を行う。その後、再度、空き容量があるかどうかを判別（Ｓ７００）する。新たに撮影した画像の画像ファイルを保存できるだけの空き容量を確保するまで、同様の処理（Ｓ７００、Ｓ７０１）を繰り返す。
【００２９】
空き容量が確保できたら、撮影情報ファイルに撮影した画像の画像ファイル番号と撮影日時を記録（Ｓ７０２）した後に、画像ファイルを作成（Ｓ７０３）して処理を終了する。
２．４  転送処理
撮像装置と印刷装置を接続して撮像装置内の画像を一括で印刷するときや撮像装置と外部記憶装置を接続して撮像装置内の画像を一括で保存するときや撮像装置と大型表示装置を接続して撮像装置内の画像を表示するときに、手ぶれの大きい画像を自動的に除外する動作を、図８を用いて説明する。
【００３０】
手ぶれの大きい画像を自動的に除外する処理を示すフローチャートを図８に示す。転送しようとする画像の画像ファイル番号が、撮影情報ファイルに記録されているかどうかを判別（Ｓ８００）する。当該画像ファイル番号が撮影情報ファイルに記録されていない場合は、当該画像の手ぶれが小さいので、当該画像ファイルを転送（Ｓ８０１）する。当該画像ファイル番号が撮影情報ファイルに記録されている場合は、当該画像の手ぶれが大きいので、画像ファイルの転送（Ｓ８０１）をスキップする。
【００３１】
次に、転送すべき最後の画像ファイルかどうかを判別（Ｓ８０２）する。最後の画像ファイルの場合は、処理を終了する。最後の画像ファイルでない場合は、次の画像ファイルが撮影情報ファイルに記録されているかどうかを判別（Ｓ８００）する処理に戻って、同様の処理（Ｓ８００〜Ｓ８０２）を繰り返す。
３．まとめ
本発明の実施の形態にかかる撮像装置の一例として、被写体を撮像して画像データを生成するレンズ１００とＣＣＤイメージセンサ１０１からなる撮像手段と、前記生成した画像データに画像データ処理部１０２で所定の処理を施した画像データを記憶するメモリーカード１０５からなる記憶手段を装着可能なメモリーカード用コネクタ１０４からなる装着手段と、自装置の振動を検出するジャイロセンサ１０７と振動量演算部１０８からなる振動検出手段と、前記記憶された画像データのそれぞれについて、前記撮像手段で生成されたときに前記振動検出手段で検出された振動量又はその振動量に基づく区分との関係を判別するための所定の情報として手ぶれの大きい画像の画像ファイル番号と撮影日時を記録した撮影情報ファイルなる管理ファイルを作成する撮影情報記録部１０３と振動量判断部１０９からなる制御手段と、を備える撮像装置を提案した。
【００３２】
前記撮像装置では、撮影情報ファイルなる管理ファイルを作成することによって、手ぶれの大きい画像を即座に再生することができる。前記手ぶれの大きい画像は、ユーザの指示によって削除することが可能である。これによって、ユーザがすべての画像を再生し、その中から手ぶれの大きい画像を選択して削除する手間を省くことができる。記憶手段の空き容量が少なくなったときに、撮像装置が自動的に手ぶれの大きい画像を削除するようにすることで、さらにユーザの利便性を向上することができる。
【００３３】
また、前記撮像装置は、転送制御部１１５と接続ケーブル用コネクタ１１６からなる転送手段をも備え、他の装置に画像ファイルを転送する前に、撮影情報ファイルなる管理ファイルを参照して、自動的に手ぶれの大きい画像ファイルを転送しないようにすることができる。これによって、他の装置に画像ファイルを転送する前に、ユーザがすべての画像を再生し、その中から転送不要な画像ファイルを選択して除外する手間を省くことができる。
【００３４】
以上のように、本発明の撮像装置は、撮影情報ファイルなる管理ファイルを作成するという簡易な処理によって、手ぶれの大きい画像の削除処理や他の装置への画像の一括転送処理において、ユーザの手間を大幅に削減し利便性を向上することができる。
４．その他の実施例
４．１  構成
前記撮像装置は、本発明の一実施例であって、これに限定するものではない。以下にその他の構成を例示的に示す。
【００３５】
レンズ１００は、単独のレンズでもよいし、複数のレンズから構成されるレンズ群でもよい。ＣＣＤイメージセンサ１０１は、ＣＭＯＳイメージセンサなどのその他のイメージセンサでもよい。ＣＭＯＳイメージセンサを用いると、消費電力を低減することができる。
【００３６】
ジャイロセンサ１０７は、その他の各速度センサや振動検知素子でもよい。なお、画像データ処理部１０２と撮影情報記録部１０３と振動量演算部１０８と振動量判断部１０９と表示制御部１１０と転送制御部１１５は、ひとつ又は複数のＬＳＩに実装されることが多い。
【００３７】
レンズ１００を駆動するリニアアクチュエータ１０６は、超音波モータやピエゾ素子などのその他の駆動素子でもよい。
【００３８】
メモリーカード１０５は、フラッシュメモリーなどの不揮発性メモリーや小型ハードディスクを内蔵したメモリーカードの他に、撮像装置に内蔵したフラッシュメモリーやハードディスクでもよい。フラッシュメモリーやハードディスクを撮像装置に内蔵すれば、コネクタ１０４を使用しなくてもよくなるので、撮像装置を小型化、低価格化することができる。
【００３９】
ＬＣＤ１１４は、有機ＥＬディスプレイなどのその他の表示装置でもよい。有機ＥＬディスプレイを用いると、消費電力を低減することができる。また、撮像装置自体には表示装置を持たず、外部のテレビセットなどと接続して画像を表示するようにしてもよい。撮像装置自体に表示装置を持たないようにすれば、撮像装置をさらに小型化、低価格化することができる。
【００４０】
閾値変更釦１１２と検索条件指示釦１１３は、独立した釦としてもよいし、ＬＣＤ１１４などの表示装置と連携したＧＵＩで、ユーザの操作性向上を図ってもよい。閾値の変更については、閾値変更釦１１２で指示する方法の他に、撮像装置が手ぶれの影響が大きくなる低速シャッタや望遠領域での撮影などを判断して、自動的に閾値を小さくするようにしてもよい。前記のような撮影条件では、小さい振動でも手ぶれの大きい画像が撮影されるからである。閾値を自動的に小さくするようにすれば、どのような撮影条件でも手ぶれが大きいと判断する手ぶれの程度が変化しにくくなる。また、逆に閾値を固定とすれば、閾値変更釦１１２を使用しなくてもよくなるので、撮像装置を小型化、低価格化することができる。
【００４１】
手ぶれ補正方式はレンズ１００を駆動するレンズシフト方式でもよいし、ＣＣＤイメージセンサ１０１を駆動するＣＣＤシフト方式などでもよい。一眼レフ方式のカメラでは、交換レンズ部に駆動装置を搭載するレンズシフト方式よりも、カメラ本体に駆動装置を搭載するＣＣＤシフト方式の方が、交換レンズをより低価格で提供することができる。
【００４２】
本発明では、振動検出手段が検出した振動量を手ぶれ画像の管理に用いるため振動検出手段は必須であるが、手ぶれ補正はなくてもよい。手ぶれ補正を搭載している場合は、ジャイロセンサ１０７から出力された角速度を振動量演算部１０８で演算して得られた振動量を用いて手ぶれの大きさを判断する他に、レンズ１００又はＣＣＤイメージセンサ１０１の位置を監視する位置センサの出力を用いて手ぶれの大きさを判断してもよい。
【００４３】
転送制御部１１５と接続ケーブル用コネクタ１１６は、シリアルやパラレルでの有線接続を想定しているが、無線ＬＡＮや赤外線通信などの無線接続でもよい。
【００４４】
次に、本発明の記憶手段を構成するメモリーカード１０５などの記憶装置内に作成されるディレクトリ構成およびファイルについて、その他の実施の形態を例示的に示す。
【００４５】
ＤＣＩＭ２０１以外のディレクトリ名およびファイル名は、ＤＣＦ規格に準じている限り、特に前記ディレクトリ名およびファイル名に限定するものではない。また、撮影情報ファイルのファイル名および作成するディレクトリについても、特に規定しない。ＤＣＦ規格に準じない場合には、ディレクトリ構成およびディレクトリ名とファイル名に制限はない。
【００４６】
また、撮影情報ファイルには、手ぶれの大きい画像の画像ファイル番号と撮影日時を記載することとしたが、画像データのそれぞれについて、撮像手段で生成されたときに振動検出手段で検出された振動量又はその振動量に基づく区分との関係を判別できる情報であれば何でもよい。
【００４７】
前記のように撮影情報ファイルに手ぶれの大きい画像の画像ファイル番号と撮影日時を記載すれば、撮影情報ファイルに画像ファイル番号が記載されている画像は手ぶれが大きく、撮影情報ファイルに画像ファイル番号が記載されていない画像は手ぶれが小さいということが判別できる。さらに、画像ファイル番号とともに撮影日時をも用いて画像ファイルを特定するため、画像ファイルの特定を間違える可能性が少なくなる。
【００４８】
しかし、例えば、撮影情報ファイルに手ぶれの大きい画像の画像ファイル番号だけを記載すれば、処理が簡単になるとともに撮影情報ファイルのサイズも小さくなる。
【００４９】
また、撮影情報ファイルにすべての画像の画像ファイル番号と撮像手段で生成されたときに振動検出手段で検出された振動量を記載してもよい。そうすれば、最も振動量の大きい画像ファイルから優先的に削除したり、振動量が特定の値よりも大きい画像ファイルを一括して削除するなど、より細かな管理が可能になる。
【００５０】
あるいは、複数の閾値を設定して、手ぶれの大きさをランク分けし、撮影情報ファイルにすべての画像の画像ファイル名と手ぶれのランクを記載してもよい。例えば、２つの閾値を設定した場合は、手ぶれの大きさを大、中、小の３つのランクに分けて管理することができる。
【００５１】
さらに、前記ランクあるいは前記振動量を画像ファイル自体に記載してもよい。画像ファイルの構成を示す模式図を図９に示す。画像ファイルは、撮影日時、カメラ名、焦点距離などの撮影情報が記載されたヘッダー９００と画像データ９０１および画像ファイルの末尾を示すＥＯＦ９０２で構成される。そこで、前記ランクあるいは前記振動量を画像ファイルの作成（Ｓ３０２）時にヘッダー９００に記載することとしてもよい。このようにして記載された前記ランクあるいは前記振動量は、さまざまなアプリケーションで有効に活用されることが期待される。
４．２  動作
手ぶれの大きい画像を順次再生してから削除するときの動作を、図５と図６を用いて説明したが、これとは逆に、手ぶれの小さい画像だけを再生したいという要求も考えられる。
【００５２】
手ぶれの小さい画像の再生処理を示すフローチャートを図１０に示す。再生しようとする画像の画像ファイル番号が、撮影情報ファイルに記録されているかどうかを判別（Ｓ１０００）する。当該画像ファイル番号が撮影情報ファイルに記録されていない場合は、当該画像の手ぶれが小さいので、当該画像ファイルを再生（Ｓ１００１）する。当該画像ファイル番号が撮影情報ファイルに記録されている場合は、当該画像の手ぶれが大きいので、画像ファイルの再生（Ｓ１００１）をスキップする。
【００５３】
前記画像ファイルをＬＣＤ１１４上に再生した状態で、次の画像の再生要求があるかどうかを判別（Ｓ１００２）する。次の画像の再生要求がない場合は、前記画像ファイルのＬＣＤ１１４上への再生を継続する。
【００５４】
次の画像の再生要求がある場合は、再生すべき最後の画像ファイルかどうかを判別（Ｓ１００３）する。最後の画像ファイルの場合は、処理を終了する。最後の画像ファイルでない場合は、次の画像ファイルが撮影情報ファイルに記録されているかどうかを判別（Ｓ１０００）する処理に戻って、同様の処理（Ｓ１０００〜Ｓ１００３）を繰り返す。
【００５５】
また、撮像装置と印刷装置を接続して撮像装置内の画像を一括で印刷するときや撮像装置と外部記憶装置を接続して撮像装置内の画像を一括で保存するときや撮像装置と大型表示装置を接続して撮像装置内の画像を表示するときに、手ぶれの大きい画像を自動的に除外する動作を、図８を用いて説明した。
【００５６】
前記説明では、撮像装置が撮影情報ファイルを参照して、それぞれの画像ファイルを送信するか否かを決定したが、これとは逆に、印刷装置や外部記憶装置や大型表示装置などの周辺装置が、撮影情報ファイルを参照して、それぞれの画像ファイルを受信するか否か、あるいは、受信後に処理をするか否かを決定してもよい。
【００５７】
このように撮影情報ファイルを参照して、それぞれの画像ファイルを受信するか否か、あるいは、受信後に処理をするか否かを決定する解析手段を有する周辺装置を本発明の周辺装置として提案する。このとき、本発明の周辺装置は、撮像装置との接続手段を有するが、前記接続手段は有線でもよいし無線でもよい。
【００５８】
また、撮像装置で撮影情報ファイルと画像ファイルが記録されたメモリーカード１０５などの記憶装置を本発明の周辺装置で読み込む方式でもよい。前記方式の場合、本発明の周辺装置は、撮影情報ファイルと画像ファイルが記録されたメモリーカード１０５などの記憶装置を読み込むための読込手段を備える。
【産業上の利用可能性】
【００５９】
本発明にかかる撮像装置は、撮影した画像の中から、即座に手ぶれの大きい画像を抽出することが可能になる。そのため、本発明は、電子スチルカメラ、カメラ付き携帯電話機、静止画撮影機能付きデジタルビデオカメラ等で振動検出手段を有する装置に適用できる。
【図面の簡単な説明】
【００６０】
【図１】本発明の実施の形態にかかる撮像装置のブロック図
【図２】本発明の記録装置上に作成されるディレクトリ構成を示す図
【図３】撮影処理を示すフローチャート
【図４】撮影情報ファイル作成処理を示すフローチャート
【図５】再生処理を示すフローチャート
【図６】削除処理を示すフローチャート
【図７】自動削除処理を示すフローチャート
【図８】転送処理を示すフローチャート
【図９】画像ファイルの構成を示す模式図
【図１０】手ぶれの小さい画像の再生処理を示すフローチャート
【符号の説明】
【００６１】
１００    レンズ
１０１    ＣＣＤイメージセンサ
１０２    画像データ処理部
１０３    撮影情報記録部
１０４    メモリーカード用コネクタ
１０５    メモリーカード
１０６    リニアアクチュエータ
１０７    ジャイロセンサ
１０８    振動量演算部
１０９    振動量判断部
１１０    表示制御部
１１１    シャッタ釦
１１２    閾値変更釦
１１３    検索条件指示釦
１１４    ＬＣＤ
１１５    転送制御部
１１６    接続ケーブル用コネクタ
１１７    接続ケーブル
【図１】
2007166140.tif 000003
【図２】
2007166140.tif 000004
【図３】
2007166140.tif 000005
【図４】
2007166140.tif 000006
【図５】
2007166140.tif 000007
【図６】
2007166140.tif 000008
【図７】
2007166140.tif 000009
【図８】
2007166140.tif 000010
【図９】
2007166140.tif 000011
【図１０】
2007166140.tif 000012